(57)【要約】【課題】携帯情報端末を簡単に身体に着脱することができるリストバンドを提供する。【解決手段】リストバンド１は、手首に装着されるリストバンド本体２と、リストバンド本体２に設けられ、携帯電話Ｐを吸着保持する吸着手段（マグネット３）とを備える。【選択図】図１
2020024569.tif 000002
【特許請求の範囲】
【請求項１】
手首に装着されるリストバンド本体と、前記リストバンド本体に設けられ、携帯情報端末を吸着保持する吸着手段とを備えたリストバンド。
【請求項２】
前記吸着手段がマグネットである請求項１に記載のリストバンド。
【請求項３】
前記リストバンド本体に取り付けられ、前記携帯情報端末を保持する固定バンドを備えた請求項１又は２に記載のリストバンド。
【発明の詳細な説明】
【技術分野】
【０００１】
本発明は、携帯電話等の携帯情報端末を保持することができるリストバンドに関する。
【背景技術】
【０００２】
日常生活や業務中において、携帯電話等の携帯情報端末は、通常、鞄やポケット等に収容されるため、携帯情報端末を使用する際には、鞄やポケット等から取り出す必要がある。このように、鞄やポケット等から携帯情報端末を取り出す動作は、面倒であるだけでなく、取り出す際に携帯情報端末が落下して破損する恐れがある。
【０００３】
例えば下記の特許文献１には、携帯情報端末を前腕部に装着するための装着具が示されている。この装着具は、携帯情報端末を保持する保持部と、保持部を前腕部に固定するための装着部と、掌部バンド及び指部バンドとを備える。保持部に携帯情報端末を取り付けた状態で、装着部を前腕部に固定すると共に、掌部バンド及び指部バンドをそれぞれ掌及び指に固定することにより、携帯情報端末を前腕部に装着することができる。
【先行技術文献】
【特許文献】
【０００４】
【特許文献１】特開２００２−１１６８４２号公報
【発明の概要】
【発明が解決しようとする課題】
【０００５】
しかし、上記の装着具では、例えば一時的に携帯情報端末を前腕部に取り付けたい場合でも、いちいち装着部を前腕部に取り付ける必要があるため、手間がかかる。
【０００６】
そこで、本発明は、携帯情報端末を簡単に身体に着脱することができるリストバンドを提供することを目的とする。
【課題を解決するための手段】
【０００７】
前記課題を解決するために、本発明は、手首に装着されるリストバンド本体と、前記リストバンド本体に設けられ、携帯情報端末を吸着保持する吸着手段とを備えたリストバンドを提供する。
【０００８】
このリストバンドを用いれば、リストバンド本体を手首に装着した状態のまま、吸着手段（例えばマグネット）に携帯情報端末を吸着保持させることで、携帯情報端末を簡単に身体（手首）に装着することができる。
【０００９】
上記のリストバンドの吸着手段に携帯情報端末を取り付けた場合、吸着手段の吸着力のみでは携帯情報端末を保持する力が十分でない場合がある。そこで、上記のリストバンド本体に、携帯情報端末を保持する固定バンドを設け、吸着手段に加えて固定バンドを用いることで、携帯情報端末を強固に保持することができる。
【発明の効果】
【００１０】
以上のように、本発明のリストバンドによれば、携帯情報端末を簡単に身体に着脱することができる。
【図面の簡単な説明】
【００１１】
【図１】本発明の実施形態に係るリストバンドの斜視図である。
【図２】（Ａ）は、リストバンドのマグネットで携帯電話を吸着保持した状態を示す側面図であり、（Ｂ）は同正面図である。
【図３】（Ａ）は、リストバンドの固定バンドで携帯電話を固定した状態を示す側面図であり、（Ｂ）は同正面図である。
【発明を実施するための形態】
【００１２】
以下、本発明の実施の形態を図面に基づいて説明する。
【００１３】
本発明の一実施形態に係るリストバンド１は、図１に示すように、携帯情報端末としての携帯電話（特にスマートフォン）Ｐを取り付けるためのものである。リストバンド１は、リストバンド本体２と、吸着手段としてのマグネット３と、固定バンド４とを備える。
【００１４】
リストバンド本体２は、筒状を成し、例えば伸縮性のある材料で形成される。リストバンド本体２の内周に手を挿入することで、リストバンド本体２を手首に装着することができる。尚、リストバンド本体２は上記に限らず、例えば、細長シート状のリストバンド本体を手首の周りに巻回し、その端部同士を連結することで手首に装着可能としてもよい。
【００１５】
マグネット３は、リストバンド本体２に固定される。図示例では、複数のマグネット３が設けられ、図示例では、縦横２列ずつの合計４個のマグネット３が設けられる。マグネット３のリストバンド本体２への固定方法は特に限定されず、例えば接着により固定される。マグネット３は、外周に露出した状態（すなわち、後述する携帯電話Ｐに取り付けられたマグネット１０と直接接触可能な状態）でリストバンド本体２に固定することが好ましい。
【００１６】
固定バンド４は、リストバンド本体２に取り付けられる。図示例の固定バンド４は、リストバンド本体２の軸心方向両端に設けられる。各固定バンド４は有端状をなし、各固定バンド４の端部同士は、面ファスナーやフック等の適宜の手段で連結可能とされる。固定バンド４は、ゴム等の伸縮材料や、皮革等の非伸縮材料で形成される。
【００１７】
携帯電話Ｐの裏面には、マグネット１０が取り付けられる。マグネット１０は、リストバンド１に設けられたマグネット３と接触可能な位置に設けられる。図示例では、携帯電話Ｐの裏面の長手方向に離隔した２箇所にマグネット１０が設けられる。
【００１８】
次に、上記のリストバンド１に携帯電話Ｐを取り付ける手順を説明する。
【００１９】
まず、図２（Ａ）（Ｂ）に示すように、携帯電話Ｐの長手方向とリストバンド１の軸心方向とを略平行にした状態で、携帯電話Ｐの裏面に設けられたマグネット１０を、リストバンド１のマグネット３に吸着させる。このとき、全てのマグネット３の上面（携帯電話Ｐの裏面と対向する面）が、携帯電話Ｐ側のマグネット１０の下面に吸着する。このマグネット３，１０の吸着力のみにより、携帯電話Ｐがリストバンド１に仮固定され、手で押さえなくても携帯電話Ｐがリストバンド１に保持される。例えば、携帯電話Ｐを一時的にリストバンド１に保持させたい場合や、あまり動かない作業をする際に携帯電話Ｐをリストバンド１に保持させたい場合には、上記のように吸着手段（マグネット３、１０）の吸着力のみで携帯電話Ｐを保持させればよい。
【００２０】
携帯電話Ｐをより強固に固定したい場合は、固定バンド４を使用する。具体的には、図３（Ａ）（Ｂ）に示すように、マグネット３に吸着保持された携帯電話Ｐの表面側（ディスプレイ側）に、各固定バンド４を巻回し、各固定バンド４の端部同士を連結する。これにより、携帯電話Ｐの長手方向両端付近が、各固定バンド４により締め付け保持される。
【００２１】
以上のように、本実施形態のリストバンド１は、着脱が容易な吸着手段（マグネット３）による携帯電話Ｐの保持と、固定バンド４を用いた強固な携帯電話Ｐの保持とを選択的に使用することができるため、様々な状況に対応することが可能となる。
【００２２】
本発明は上記の実施形態に限られない。例えば、上記の実施形態では、リストバンド１及び携帯電話Ｐの双方にマグネットを設けた場合を示したが、これに限らず、これらの一方にマグネットを設け、他方に鉄板等の磁性体を設けてもよい。また、吸着手段としては、マグネットの他、粘着部材等を用いることができる。
【００２３】
また、マグネット３やマグネット１０の磁力が携帯電話Ｐに悪影響を及ぼす場合は、携帯電話Ｐとマグネット１０との間に磁気遮断シートを設けてもよい。一方、マグネット３の磁力が携帯電話Ｐに悪影響を及ぼさない場合は、マグネット３を直接携帯電話Ｐの筐体に吸着させてもよい。
【００２４】
また、上記のリストバンド１において、固定バンド４を省略し、吸着手段のみで携帯電話Ｐを保持する構成としてもよい。
【符号の説明】
【００２５】
１     リストバンド
２     リストバンド本体
３     マグネット（吸着手段）
４     固定バンド
１０   マグネット
Ｐ     携帯電話（携帯情報端末）
【図１】
2020024569.tif 000003
【図２】
2020024569.tif 000004
【図３】
2020024569.tif 000005